(57)【要約】【課題】描画データの準備と印字準備時間とが同時に終了することを想定してエンジン制御部を起動すると、印字準備時間より描画データの生成までの処理が短くなった場合には無駄時間が生じてしまう。【解決手段】描画データ生成部１１２で印字パラメータが決定された時点で画像出力Ｉ／Ｆ部１１３に印字パラメータ決定を通知し、この通知を受けて画像出力Ｉ／Ｆ部１１３が画像出力部１２に対して印字指示を通知する。すると、この通知を受けて画像出力部１２が印字準備処理を開始する。これにより、描画データ生成部１１２でのデータ解析から描画データの生成までの変換処理と、画像出力部１２での印字準備処理とを並行して実行させ、ファーストプリント時間の短縮化を図る。【選択図】        図３
2004284249.tif 000002
【特許請求の範囲】
【請求項１】
受信した印刷データを描画データに変換するとともに、その変換処理中に印刷に必要な印字パラメータが決定または仮決定した時点で印刷指示を出力する制御手段と、
前記制御手段からの印刷指示を受けて印刷準備処理を開始し、当該印刷準備処理を前記制御手段での変換処理と並行して実行する画像出力手段と
を備えることを特徴とする印刷制御装置。
【請求項２】
前記制御手段は、印刷指示を出力した後に、当該印刷指示を出力したときの印刷データのジョブとは違うジョブに印刷データが変わっても、前記印字パラメータに変更がない場合は前記並行処理を継続する
ことを特徴とする請求項１記載の印刷制御装置。
【請求項３】
前記制御手段は、前記画像出力手段が前のジョブの印刷データを出力しているときは、前記並行処理のための印刷指示を出力しない
ことを特徴とする請求項１記載の印刷制御装置。
【請求項４】
前記制御手段は、前記画像出力手段が前のジョブの印刷データの最終ページを出力しているときに次のジョブの印字パラメータが決定または仮決定したときは、その時点で印刷指示を出力する
ことを特徴とする請求項１記載の印刷制御装置。
【請求項５】
前記制御手段は、前記並行処理の実行中に印字パラメータに変更が生じた場合は、前記画像出力手段に対して印字指示の中止を通知し、変更後の印字パラメータを基に再度印字指示を出力する
ことを特徴とする請求項１記載の印刷制御装置。
【請求項６】
前記制御手段は、前記変換処理が一定時間以上経過しても終了しない場合は、前記画像出力手段に対して印字指示の中止を通知し、前記変換処理が終了した後に再度印字指示を出力する
ことを特徴とする請求項１記載の印刷制御装置。
【請求項７】
前記一定時間が任意に設定可能である
ことを特徴とする請求項６記載の印刷制御装置。
【請求項８】
受信した印刷データを描画データに変換するとともに、その変換処理中に印刷に必要な印字パラメータが決定または仮決定した時点で印刷指示を出力する第１の工程と、
前記印刷指示を受けて印刷準備処理を開始し、当該印刷準備処理を前記第１工程で変換処理と並行して実行する第２工程と
を有することを特徴とする印刷制御方法。
【請求項９】
前記第１の工程では、印刷指示を出力した後に、当該印刷指示を出力したときの印刷データのジョブとは違うジョブに印刷データが変わっても、前記印字パラメータに変更がない場合は前記並行処理を継続する
ことを特徴とする請求項８記載の印刷制御方法。
【請求項１０】
前記第１の工程では、前記第２の工程で前のジョブの印刷データを出力しているときは、前記並行処理のための印刷指示を出力しない
ことを特徴とする請求項８記載の印刷制御方法。
【請求項１１】
前記第１の工程では、前記第２の工程で前のジョブの印刷データの最終ページを出力しているときに次のジョブの印字パラメータが決定または仮決定したときは、その時点で印刷指示を出力する
ことを特徴とする請求項８記載の印刷制御方法。
【請求項１２】
前記第１の工程では、前記並行処理の実行中に印字パラメータに変更が生じた場合は印字中止指示を出力し、変更後の印字パラメータを基に再度印字指示を出力する
ことを特徴とする請求項８記載の印刷制御方法。
【請求項１３】
前記第１の工程では、前記変換処理が一定時間以上経過しても終了しない場合は前記印字指示の出力を中止し、前記変換処理が終了した後に再度前記印字指示を出力する
ことを特徴とする請求項８記載の印刷制御方法。
【発明の詳細な説明】
【０００１】
【発明の属する技術分野】
本発明は、プリンタに代表される印刷制御装置および印刷制御方法に関し、特にクライアントＰＣ（Ｐｅｒｓｏｎａｌ  Ｃｏｍｐｕｔｅｒ）  から送られる印刷データを受け取り、これを出力イメージに変換処理して印刷する印刷制御装置および印刷制御方法に関する。
【０００２】
【従来の技術】
通常、印刷制御装置、例えばプリンタは、クライアントＰＣから送られる印刷データを受け取って、これを基に出力イメージの生成を実施するコントローラ部と、このコントローラ部からの印字指示を受けて出力イメージの印刷出力を行う画像出力部とに分かれている。これまでのプリンタは、コントローラ部での出力イメージの生成に時間が大幅にかかることや、画像出力部を起動するための時間的な制約などにより、クライアントＰＣから印刷データを受信すると、先ずコントローラ部にて出力イメージを生成し、その後に画像出力部に対して出力指示を出して印字（印刷）を行うような印刷制御方式を採っていた。
【０００３】
しかし、最近では、コントローラ部のＣＰＵ演算速度の向上や、印刷データのバイナリコマンド化などの技術により、クライアントＰＣから印刷データを受信してから出力イメージを生成するまでの時間が大幅に短縮化されてきている。具体的には、印刷データの受信から出力イメージの生成までの時間が、画像出力部の印字準備処理時間と同等かそれ以下となってきている。
【０００４】
ここで、画像出力部の印字準備処理時間とは、定着装置が定着可能な状態にあり、かつイメージ描画部が出力可能な状態から、印字指示を受けてメインモータを起動し、コントローラ部からの出力イメージを印字可能な状態になるまでの時間のことである。したがって、コントローラ部での出力イメージの生成までの処理の一部と、画像出力部の印字準備処理とを並行して実行させることにより、ファーストプリント時間を短縮することができる。
【０００５】
ファーストプリント時間を短縮するために、従来は、外部コンピュータより受信したデータを印刷データとして描画可能な中間データに変換するデータ編集部と、中間データから描画データに変換するデータ描画部とを有し、外部コンピュータから受信したデータのうち、１ページ分の中間データを生成できた段階でエンジン制御部を起動することにより、中間データから描画データを生成する処理と、エンジン制御部での印刷指定から描画データを受け取り可能な状態になるまでの処理とを並行動作させるようにしていた（例えば、特許文献１参照）。
【０００６】
また、ページメモリに１ページ分のイメージデータを展開し終わる前の所定量までイメージデータを展開した時点で画像形成装置を起動し、このときイメージデータの上記所定量がイメージデータ全体から画像形成装置の出力準備処理時間をイメージデータの展開量に換算した分を除いた量のことであることにより、イメージデータの展開処理と画像形成装置の出力準備処理とを同時に終了し、画像形成に要する時間の短縮化を図っていた（例えば、特許文献２参照）。
【０００７】
【特許文献１】
特開２００１−１３０１１０号公報
【特許文献２】
特開平６−２７６３７７号公報
【０００８】
【発明が解決しようとする課題】
しかし、上記のいずれの従来技術でも、画像出力部に出力する描画データの準備と画像出力部の印字準備時間とが同時に終了することを想定しているため、コントローラ部におけるクライアントＰＣからの印刷データの受信から描画データの生成までの処理の高速化により、画像出力部の印字準備時間よりコントローラ部での描画データの生成までの処理が短くなった場合には無駄な時間が生じてしまう。また、出力イメージの展開や描画データの生成に要する時間はクライアントＰＣからの受信する印刷データに依存するため、それを事前に予測することが難しい場合が多い。
【０００９】
本発明は、上記課題に鑑みてなされたものであり、その目的とするところは、受信した印刷データの変換処理と画像出力部の印字準備処理とを並行して動作させ、無駄な処理時間を省くことによってファーストプリント時間を短縮することを可能にした印刷制御装置および印刷制御方法を提供することにある。
【００１０】
【課題を解決するための手段】
本発明による印刷制御装置は、受信した印刷データを描画データに変換するとともに、その変換処理中に印刷に必要な印字パラメータが決定または仮決定した時点で印刷指示を出力する制御手段と、前記制御手段からの印刷指示を受けて印刷準備処理を開始し、当該印刷準備処理を前記制御手段での変換処理と並行して実行する画像出力手段とを備えることを特徴としている。
【００１１】
上記構成の印刷制御装置において、制御手段が変換処理中に印字パラメータが決定または仮決定した時点で印刷指示を出力し、これを受けて画像出力手段が印刷準備処理を開始することで、制御手段の変換処理と画像出力手段の印刷準備処理とが並行して実行される。これにより、無駄な処理時間を省くことができるため、その分だけファーストプリント時間を短縮できる。
【００１２】
本発明による印刷制御方法は、受信した印刷データを描画データに変換するとともに、その変換処理中に印刷に必要な印字パラメータが決定または仮決定した時点で印刷指示を出力する第１の工程と、前記印刷指示を受けて印刷準備処理を開始し、当該印刷準備処理を前記第１工程で変換処理と並行して実行する第２工程とを有することを特徴としている。
【００１３】
上記の印刷制御方法において、変換処理中に印字パラメータが決定または仮決定した時点で印刷指示を出力し、これを受けて印刷準備処理を開始することで、第１工程での変換処理と第２工程での印刷準備処理とが並行して実行される。これにより、無駄な処理時間を省くことができるため、その分だけファーストプリント時間を短縮できる。
【００１４】
【発明の実施の形態】
以下、本発明の実施の形態について図面を参照して詳細に説明する。図１は、本発明の一実施形態に係る印刷制御装置を示す機能ブロック図である。
【００１５】
図１から明らかなように、本実施形態に係る印刷制御装置１０は、コントローラ部１１と画像出力部１２とを少なくとも有し、クライアントＰＣ２０から送られる印刷データを受け取り、これを変換処理して印刷出力する。ここで、変換処理とは、ＰＤＬ（Ｐａｇｅ  Ｄｅｓｃｒｉｐｔｉｏｎ  Ｌａｎｇｕａｇｅ；ページ記述言語）を解釈し、出力イメージを生成するまでの処理、即ちデコンポーズ（Ｄｅｃｏｍｐｏｓｅ）処理を言うものとする。コントローラ部１１は、通信制御部１１１、描画データ生成部１１２および画像出力Ｉ／Ｆ（インターフェース）部１１３を有する構成となっている。
【００１６】
この印刷制御装置１０において、クライアントＰＣ２０から送信された印刷データを通信制御部１１１が受信し、描画データ生成部１１２に渡す。描画データ生成部１１２は、通信制御部１１１から渡された印刷データを解析して中間データを生成し、さらにこの中間データを基に画像出力部１２へ渡す描画データを生成する。描画データ生成部１１２はさらに、印刷に必要なパラメータ（以下、「印字パラメータ」と記す）が確定すると、画像出力Ｉ／Ｆ部１１３に対して印字パラメータが決定したことを通知する。
【００１７】
画像出力Ｉ／Ｆ部１１３は、描画データ生成部１１２からの印字パラメータ決定の通知を受けて画像出力部１２に対する印字指示を出力し、また画像出力部１２から印字準備完了ステータスを受信すると、画像出力部１２へ描画データを送信する制御を実施する。画像出力Ｉ／Ｆ部１１３はさらに、描画データ生成待ちタイマを内蔵しており、画像出力部１２から印字指示応答を受信すると当該描画データ生成待ちタイマを起動する。画像出力部１２は、内蔵する印字部のメカ制御を実施して、コントローラ部１１より渡された描画データを記録紙へ印字（印刷）する処理を実施する。
【００１８】
ここで、印刷データを受信してから印字するまでの印字シーケンスについて、従来一般的な印刷制御装置の場合と本実施形態に係る印刷制御装置１０の場合とを対比して説明する。なお、従来一般的な印刷制御装置においても、構成要素について本実施形態に係る印刷制御装置１０と同じであるため、以下の説明では、各構成要素に同じ符号を付して説明するものとする。
【００１９】
最初に、従来一般的な印刷制御装置の印字シーケンスについて、図２の１ページ分のシーケンス図を用いて説明する。
【００２０】
通信制御部１１１は、クライアントＰＣ２０から送られる印刷データの受信を開始すると、描画データ生成部１１２にデータ受信開始を通知する。これを受けて、描画データ生成部１１２は、受信データの解析を実施して中間データを生成し、１ページ分の受信データを中間データに生成し終わると、次に中間データから描画データを生成する。そして、描画データの生成が終了すると、描画データ生成部１１２は、画像出力Ｉ／Ｆ部１１３に対して描画データ準備完了を通知する。画像出力Ｉ／Ｆ部１１３は、描画データ準備完了を受信すると、画像出力部１２に対して印字指示を実施する。
【００２１】
画像出力部１２は、画像出力Ｉ／Ｆ部１１３から印字指示を受信すると、印字準備処理を開始するとともに、印字指示応答を画像出力Ｉ／Ｆ部１１３に通知する。画像出力Ｉ／Ｆ部１１３は、画像出力部１２から印字指示応答を受信した時点では既に描画データの準備が完了しているので、画像出力部１２に対して印字開始を通知する。画像出力部１２は、印字開始を受信した旨を記憶し、印字準備処理が終了すると、コントローラ部１１から描画データを取得して印字処理を実施する。画像出力部１２は、印字処理が終了し印字用紙が排出トレイに排出されると、用紙排出を画像出力Ｉ／Ｆ部１１３に通知する。画像出力Ｉ／Ｆ部１１３は、用紙排出応答を受信すると印字処理完了とする。
【００２２】
続いて、本実施形態に係る印刷制御装置１０の印字シーケンスについて、図３の１ページ分のシーケンス図を用いて説明する。
【００２３】
通信制御部１１１は、クライアントＰＣ２０から送られる印刷データの受信を開始すると、描画データ生成部１１２にデータ受信開始を通知する。これを受けて描画データ生成部１１２は、受信データの解析を実施して中間データを生成する。このとき、描画データ生成部１１２は、印字パラメータが確定すると、画像出力Ｉ／Ｆ部１１３に対して印字パラメータが決定したことを通知する。画像出力Ｉ／Ｆ部１１３は、描画データ生成部１１２から印字パラメータ決定通知を受信すると、画像出力部１２に対して印字指示を通知する。
【００２４】
画像出力部１２は、画像出力Ｉ／Ｆ部１１３から印字指示を受信すると、印字準備処理を開始するとともに、印字指示応答を画像出力Ｉ／Ｆ部１１３に通知する。画像出力Ｉ／Ｆ部１１３は、画像出力部１２から印字指示応答を受信すると描画データ生成待ちタイマを起動する。一方、描画データ生成部１１３は引き続き中間データの生成を実施しており、１ページ分の受信データを中間データに生成し終わると、次に中間データから描画データを生成する。描画データ生成部１１２は、１ページ分の描画データの生成が終了すると、画像出力Ｉ／Ｆ部１１３に対して描画データ準備完了を通知する。
【００２５】
画像出力Ｉ／Ｆ部１１３は、描画データ生成部１１２から描画データ準備完了通知を受信すると、描画データ準備完了タイマを停止する。また、画像出力Ｉ／Ｆ部１１３は、描画データ生成部１１２の描画データ準備完了通知と画像出力部１２からの印字指示応答の両方が揃ったことを確認したら、画像出力部１２に対して印字開始を通知する。
【００２６】
画像出力部１２は、画像出力Ｉ／Ｆ部１１３から印字開始を受信すると、印字準備処理が終了した後に印字処理を実施する。画像出力部１２は、印字処理が終了し印字用紙が排出トレイに排出されると、用紙排出を画像出力Ｉ／Ｆ部１１３に通知する。画像出力Ｉ／Ｆ部１１３は、用紙排出応答を受信すると印字処理完了とする。印字パラメータは、描画データ生成部１１２において、クライアントＰＣ２０からの印刷データを解析していく過程で順次決定されるものである。
【００２７】
上述したように、描画データ生成部１１２にて印字に必要な全ての印字パラメータが決定された時点で画像出力部１２に印字指示を出力し、これを受けて画像出力部１２では印字準備処理を開始することにより、描画データ生成部１１２でのデータ解析から描画データの生成までのデコンポーズ処理（変換処理）と、画像出力部１２での印字準備処理とを並行して実行させることが可能となるため、図２と図３の印字シーケンスの対比からも明らかなように、本実施形態に係る印刷制御装置１０でのファーストプリント時間を短縮することができる。
【００２８】
特に、本実施形態に係る印刷制御装置１０においては、印字準備処理を開始するタイミングを従来技術の場合のように予測するのではなく、受信した印刷データを解析していく過程で順次決定される印字パラメータを用い、当該印字パラメータが決定した段階で印刷指示を画像出力部１２に対して出して印字準備処理を開始するようにしているため、印刷データの受信から描画データの生成まで処理の高速化により、画像出力部１２の印字準備時間よりコントローラ部１１での描画データの生成までの処理が短くなった場合でも無駄な時間が生じるようなことはない。
【００２９】
ところで、クライアントＰＣ２０からの印刷データはさまざまなアプリケーションなどのデータが多いことから、描画データ生成部１１２では印刷データの種類の全てに対して必ずしもデコンポーズ処理（変換処理）を早く行うことができるとは限らない。印刷データの種類によっては描画データの生成までに数十分を要するケースもある。
【００３０】
図４は、描画データ生成待ちタイマのタイムアウト発生時の印字シーケンスを示す図である。
【００３１】
画像出力Ｉ／Ｆ部１１３は、画像出力部１２から印字指示応答を受信すると、描画データ準備完了待ちタイマを起動する。この描画データ準備完了待ちタイマの起動時間（タイムアウトまでの時間）については、画像出力部１２の印字開始待ちの状態での待機可能時間を最大待ち時間として、ユーザーの印刷データの種類により印刷準備完了時間を変更できるように不揮発性メモリにて管理しておくようにする。
【００３２】
画像出力Ｉ／Ｆ部１１３は、描画データ生成部１１２からの描画データ準備完了の通知を受信する前に、描画データ準備完了待ちタイマがタイムアウトした場合、即ち受信した印刷データを描画データに変換する処理が一定時間経過しても終了しない場合は、画像出力部１２に対して印字指示中止を通知する。これにより、タイムアウトによる不要な画像出力部１２の停止を防ぐことが可能となる。上記一定時間については任意に設定可能とする。
【００３３】
画像出力部１２は、画像出力Ｉ／Ｆ部１１３から印字指示中止を受信すると、印字動作を一度中断して停止する。画像出力Ｉ／Ｆ部１１３は、描画データ生成部１１２から描画データ準備完了を受信すると、画像出力部１２へ再度印字指示を出して、図２に示す従来一般的な印字シーケンスにて印字処理を実施する。
【００３４】
図５は、描画データ生成部１１２から印字パラメータ決定の通知を受信したときの画像出力Ｉ／Ｆ部１１３における画像出力部１２への印字指示送信のため処理手順を示すフローチャートである。
【００３５】
画像出力Ｉ／Ｆ部１１３は、描画データ生成部１１２から印字パラメータ決定通知を受信すると、画像出力部１２に対して印字指示しているか否かをチェックする（ステップＳ１１）。印字指示がある場合は、画像出力部１２へ印字開始を全て通知しているか否かをチェックする（ステップＳ１２）。画像出力Ｉ／Ｆ部１１３は、ステップＳ１１で画像出力部１２への印字指示がないと判断した場合およびステップＳ１２で印字開始を全て通知済みであると判断した場合は、イメージ先行出力となる入力トレイからの指示であるか否かをチェックする（ステップＳ１３）。
【００３６】
画像出力Ｉ／Ｆ部１１３は、ステップＳ１３でイメージ先行出力であると判断した場合は、画像出力部１２へ印字指示を通知する（ステップＳ１４）。画像出力Ｉ／Ｆ部１１３は、ステップＳ１１で画像出力部１２へ印字指示を通知済みと判断し、かつステップＳ１２で印字開始を全て通知していないと判断した場合、およびステップＳ１３でイメージ先行出力とならないと判断した場合は、図２に示した従来一般的な印字シーケンスにて出力を実施する。
【００３７】
ここで、イメージ先行出力とは、画像出力部１２がイメージ出力開始後に用紙の供給処理を実施する出力形態である。イメージ先行出力ではない場合は用紙先行出力となり、先に用紙を供給することになることから、印字キャンセルされたときに無駄な白紙用紙を排出する可能性があるため、必ずイメージ先行出力となる入力トレイの場合にのみ印字指示の先出しを実施する。
【００３８】
図６は、描画データ生成部１１２から描画データ準備完了の通知を受信したときの画像出力Ｉ／Ｆ部１１３における処理手順を示すフローチャートである。
【００３９】
画像出力Ｉ／Ｆ部１１３は、まず印字指示が送信済みか否かをチェックし（ステップＳ２１）、送信済みでない場合やタイムアウト等によりキャンセルされている場合は、印字指示を画像出力部１２へ通知する（ステップＳ２２）。画像出力Ｉ／Ｆ部１１３は、送信済みと判断した場合は、印字パラメータに変更がないか否かをチェックし（ステップＳ２３）、変更がない場合は、画像出力部１２へ印字開始を通知する（ステップＳ２４）。
【００４０】
画像出力Ｉ／Ｆ部１１３は、印字パラメータに変更があると判断した場合は、画像出力部１２へ印字指示中止を通知してから、正しい印字パラメータによる印字指示を再送する（ステップＳ２５）。印字パラメータの変更は、ジョブの追い越し処理やジョブがキャンセルされた場合などに発生するが、描画データ生成部１１２が印字パラメータ決定通知時に処理したデータが出力されなくても、印字指示したパラメータが同じであれば、画像出力部１２に対して開始通知を実施することにより、ファーストプリント時間を短縮できるケースを増大させることが可能となる。
【００４１】
なお、描画データ生成部１１２でのデコンポーズ処理と画像出力部１２での印字準備処理とを並行して実行する場合に、前のジョブの印刷データの最終ページを出力しているときに次のジョブの印字パラメータが決定したときは、その時点で印字指示を出力するようにする。これにより、印字処理の終了後に例えばクリーニングなどの後処理が実行される場合であっても、前のジョブの最終ページの印字処理が終了したら、後処理が行われずに引き続いて次のジョブの処理に移行できるため、後処理を省略できる分だけ印字処理に要する時間を短縮することができる。
【００４２】
上記実施形態では、描画データ生成部１１２から印字に必要なパラメータが決定した段階で画像出力Ｉ／Ｆ部１１３に印字パラメータ決定を通知し、画像出力部１２に印字指示を送信することにより、ファーストプリント時間の短縮を図るとしたが、通常のクライアントＰＣ２０からの印刷データにはジョブ制御言語があり、大まかな指示を記述することが可能となっているため、クライアントＰＣ２０から受信される印刷データにおいて印字パラメータを仮決定し、この仮決定した段階で画像出力Ｉ／Ｆ部１１３に印字パラメータ仮決定を通知し、画像出力部１２に印字指示を送信することによっても、ファーストプリント時間の短縮を図ることが可能である。
【００４３】
また、他のＰＤＬにおいても、印字パラメータが確定する前に仮決定することは可能である。よって、印字パラメータを仮決定し、先述した決定の場合と同様の処理によって画像出力部１２を起動することにより、描画データ生成部１１２のデータ解析から描画データ生成までの処理と画像出力部１２の印字準備処理との並行処理時間を多く取ることが可能となる。このように、描画データ生成部１１２の変換処理と画像出力部１２の印字準備処理の並行動作時間を多く取れることにより、ファーストプリント時間を大幅に短縮できる。
【００４４】
【発明の効果】
以上説明したように、本発明によれば、受信した印刷データの変換処理と画像出力部の印字準備処理とを並行して実行させることにより、無駄な処理時間を無くすことができるため、ファーストプリント時間を短縮できる。
【図面の簡単な説明】
【図１】本発明の一実施形態に係る印刷制御装置を示す機能ブロック図である。
【図２】従来一般的な印刷制御装置の１ページ分の印字シーケンスを示す図である。
【図３】本実施形態に係る印刷制御装置の１ページ分の印字シーケンスを示す図である。
【図４】描画データ生成待ちタイマのタイムアウト発生時の印字シーケンスを示す図である。
【図５】描画データ生成部からの印字パラメータ決定通知受信時の画像出力Ｉ／Ｆ部における画像出力部へ印字指示送信のため処理手順を示すフローチャートである。
【図６】画像出力Ｉ／Ｆ部における描画データ生成部からの描画データ準備完了通知受信時の処理手順を示すフローチャートである。
【符号の説明】
１０…印刷制御装置、１１…コントローラ部、１２…画像出力部、２０…クライアントＰＣ、１１１…通信制御部、１１２…描画データ生成部、１１３…画像出力Ｉ／Ｆ部
【図１】
2004284249.tif 000003
【図２】
2004284249.tif 000004
【図３】
2004284249.tif 000005
【図４】
2004284249.tif 000006
【図５】
2004284249.tif 000007
【図６】
2004284249.tif 000008